(57)【要約】【課題】複数の機器のうちの転送先とされている１つの機器に適したコンテンツを、転送対象のコンテンツとして選択することができるようにする。【解決手段】  ステイショナリ機１によるコンテンツの転送は、複数のモバイル機のうち、いま接続され、転送先とされているモバイル機により管理されている情報に基づいて行われる。例えば、転送先の機器としてモバイル機２−１が接続されている場合、ステイショナリ機１においては、モバイル機２−１からコンテンツの再生履歴が取得され、モバイル機２−１上で過去に再生された回数の多いコンテンツの特徴と同じ、または似ている特徴を有するコンテンツが、転送対象のコンテンツとして選択される。本発明は、コンテンツを管理し、管理しているコンテンツを他の機器に転送する情報処理装置に適用することができる。【選択図】図１
2006235742.tif 000002
【特許請求の範囲】
【請求項１】
複数の携帯型の端末それぞれの情報を管理し、端末に対するコンテンツの転送を管理する情報管理装置において、
コンテンツの転送先として接続されている１つの端末から、その端末上で再生されたコンテンツの履歴を表す履歴情報を取得する取得手段と、
前記取得手段により取得された前記履歴情報に基づいて、転送対象のコンテンツを選択する選択手段と
を備えることを特徴とする情報管理装置。
【請求項２】
前記選択手段は、転送先の端末上で所定の頻度で再生されたコンテンツの特徴と同じ、または似た特徴を有するコンテンツを、転送対象のコンテンツとして選択する
ことを特徴とする請求項１に記載の情報管理装置。
【請求項３】
前記選択手段は、前記履歴情報に基づいて選択したコンテンツをユーザに提示し、提示したものの中から選択されたコンテンツを、転送対象のコンテンツとして選択する
ことを特徴とする請求項１に記載の情報管理装置。
【請求項４】
前記選択手段により選択された全てのコンテンツを、ユーザによる選択操作によらずに転送先の端末に転送する転送手段をさらに備える
ことを特徴とする請求項１に記載の情報管理装置。
【請求項５】
複数の携帯型の端末それぞれの情報を管理し、端末に対するコンテンツの転送を管理する情報管理方法において、
コンテンツの転送先として接続されている１つの端末から、その端末上で再生されたコンテンツの履歴を表す履歴情報を取得する取得ステップと、
前記取得ステップの処理により取得された前記履歴情報に基づいて、転送対象のコンテンツを選択する選択ステップと
を含むことを特徴とする情報管理方法。
【請求項６】
複数の携帯型の端末それぞれの情報を管理し、端末に対するコンテンツの転送を管理する処理をコンピュータに実行させるプログラムにおいて、
コンテンツの転送先として接続されている１つの端末から、その端末上で再生されたコンテンツの履歴を表す履歴情報を取得する取得ステップと、
前記取得ステップの処理により取得された前記履歴情報に基づいて、転送対象のコンテンツを選択する選択ステップと
を含むことを特徴とするプログラム。
【発明の詳細な説明】
【技術分野】
【０００１】
本発明は、情報管理装置および方法、並びにプログラムに関し、特に、複数の機器のうちの転送先とされている１つの機器に適したコンテンツを、転送対象のコンテンツとして選択することができるようにする情報管理装置および方法、並びにプログラムに関する。
【背景技術】
【０００２】
オーディオコンテンツ、ビデオコンテンツなどの、ステイショナリ機に保存されているコンテンツをモバイル機に転送し、モバイル機を利用してユーザがコンテンツを楽しむような状況を考えた場合、ステイショナリ機からモバイル機に転送するコンテンツの選択方法として、従来、次のようなものがある。
【０００３】
ここで、「ステイショナリ（stationary）機」とは、据え置きを前提とする、オーディオコンテンツ、ビデオコンテンツの記録／再生機器をいい、「モバイル機」とは、持ち運び可能な、オーディオコンテンツ、ビデオコンテンツの再生機器をいう。
【０００４】
また、ステイショナリ機にも残したまま、ステイショナリ機からモバイル機にコンテンツを送信することを「複写」といい、コンテンツをステイショナリ機に残すことなく、ステイショナリ機からは削除して、ステイショナリ機からモバイル機にコンテンツを送信することを「移動」という。「複写」と「移動」を個々に区別する必要がない場合、単に「転送」とまとめていう。
【０００５】
（選択方法１）
ステイショナリ機であるパーソナルコンピュータのHDD(Hard Disk Drive)に記録されたオーディオコンテンツの中から、転送するコンテンツをパーソナルコンピュータの所定のソフトウェアを起動したときに表示される画面において選択し、モバイル機であるオーディオプレーヤに転送するといったように、転送するコンテンツを、ユーザが自分自身で判断し、手動で選択する方法。
【０００６】
（選択方法２）
ステイショナリ機であるパーソナルコンピュータのHDDに記録されたオーディオコンテンツの中から、転送するコンテンツをパーソナルコンピュータのソフトウェアが自動的に選択し、モバイル機であるオーディオプレーヤに転送するといったように、転送するコンテンツをステイショナリ機が選択する方法。ステイショナリ機によるコンテンツの選択は、例えば、オーディオプレーヤ上での再生回数やユーザが設定した重み（マイレート）などの、ユーザの嗜好を基準として行われる。
【０００７】
オーディオプレーヤと接続されたパーソナルコンピュータが、オーディオプレーヤにより管理されているコンテンツの再生回数の情報を取得し、取得した情報に基づいて、パーソナルコンピュータ自身が各種の処理を行う技術（選択方法２）については非特許文献１に開示されている。
【非特許文献１】“アップル−iTunes−特徴−”［平成１７年２月１日検索］、インターネット、＜URL:http://www.apple.com/jp/itunes/jukebox.html＞
【発明の開示】
【発明が解決しようとする課題】
【０００８】
ところで、上述した選択方法１によれば、ユーザが、その都度自分自身で判断して転送するコンテンツを選択する必要があることから、ステイショナリ機に保存されているコンテンツの数が多くなる程、選択に手間がかかるという課題がある。
【０００９】
また、選択方法２によれば、コンテンツを選択するユーザの手間は省くことができるが、ステイショナリ機がユーザの嗜好を判断する基になる情報は１つのモバイル機から取得された情報であり、複数の機器から取得された情報を用いて、それぞれの機器に適したコンテンツを転送対象のコンテンツとして選択することができないという課題があった。すなわち、ステイショナリ機とモバイル機の関係は１対１であり、１体多の場合については考慮されていない。
【００１０】
本発明はこのような状況に鑑みてなされたものであり、複数の機器のうちの転送先とされている１つの機器に適したコンテンツを転送対象のコンテンツとして選択することができるようにするものである。
【課題を解決するための手段】
【００１１】
本発明の情報管理装置は、コンテンツの転送先として接続されている１つの端末から、その端末上で再生されたコンテンツの履歴を表す履歴情報を取得する取得手段と、取得手段により取得された履歴情報に基づいて、転送対象のコンテンツを選択する選択手段とを備えることを特徴とする。
【００１２】
選択手段は、転送先の端末上で所定の頻度で再生されたコンテンツの特徴と同じ、または似た特徴を有するコンテンツを、転送対象のコンテンツとして選択するようにすることができる。
【００１３】
選択手段は、履歴情報に基づいて選択したコンテンツをユーザに提示し、提示したものの中から選択されたコンテンツを、転送対象のコンテンツとして選択するようにすることができる。
【００１４】
本発明の情報管理装置は、選択手段により選択された全てのコンテンツを、ユーザによる選択操作によらずに転送先の端末に転送する転送手段をさらに備えるようにすることができる。
【００１５】
本発明の情報管理方法は、コンテンツの転送先として接続されている１つの端末から、その端末上で再生されたコンテンツの履歴を表す履歴情報を取得する取得ステップと、取得ステップの処理により取得された履歴情報に基づいて、転送対象のコンテンツを選択する選択ステップとを含むことを特徴とする。
【００１６】
本発明のプログラムは、コンテンツの転送先として接続されている１つの端末から、その端末上で再生されたコンテンツの履歴を表す履歴情報を取得する取得ステップと、取得ステップの処理により取得された履歴情報に基づいて、転送対象のコンテンツを選択する選択ステップとを含むことを特徴とする。
【００１７】
本発明の情報管理装置および方法、並びにプルグラムにおいては、コンテンツの転送先として接続されている１つの端末から、その端末上で再生されたコンテンツの履歴を表す履歴情報が取得され、取得された履歴情報に基づいて、転送対象のコンテンツが選択される。
【発明の効果】
【００１８】
本発明によれば、複数の機器のうちの転送先とされている１つの機器に適したコンテンツを転送対象のコンテンツとして選択することができる。
【発明を実施するための最良の形態】
【００１９】
以下に本発明の実施の形態を説明するが、本明細書に記載の発明と、発明の実施の形態との対応関係を例示すると、次のようになる。この記載は、請求項に記載されている発明をサポートする実施の形態が本明細書に記載されていることを確認するためのものである。従って、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００２０】
さらに、この記載は、本明細書に記載されている発明の全てを意味するものではない。換言すれば、この記載は、本明細書に記載されている発明であって、この出願では請求されていない発明の存在、すなわち、将来、分割出願されたり、補正により追加される発明の存在を否定するものではない。
【００２１】
請求項１に記載の情報管理装置は、複数の携帯型の端末（例えば、図１のモバイル機２−１乃至２−３）それぞれの情報を管理し、端末に対するコンテンツの転送を管理する情報管理装置（例えば、図１のステイショナリ機１）であって、コンテンツの転送先として接続されている１つの端末から、その端末上で再生されたコンテンツの履歴を表す履歴情報を取得する取得手段（例えば、図３の他機器再生履歴管理部５３）と、前記取得手段により取得された前記履歴情報に基づいて、転送対象のコンテンツを選択する選択手段（例えば、図３のコンテンツ選択部５１）とを備えることを特徴とする。
【００２２】
請求項４に記載の情報管理装置は、前記選択手段により選択された全てのコンテンツを、ユーザによる選択操作によらずに転送先の端末に転送する転送手段（例えば、図３の転送処理部４２）をさらに備えることを特徴とする。
【００２３】
請求項５に記載の情報管理方法は、複数の携帯型の端末（例えば、図１のモバイル機２−１乃至２−３）それぞれの情報を管理し、端末に対するコンテンツの転送を管理する情報管理方法であって、コンテンツの転送先として接続されている１つの端末から、その端末上で再生されたコンテンツの履歴を表す履歴情報を取得する取得ステップ（例えば、図４のステップＳ１）と、前記取得ステップの処理により取得された前記履歴情報に基づいて、転送対象のコンテンツを選択する選択ステップ（例えば、図４のステップＳ６）とを含むことを特徴とする。
【００２４】
請求項６に記載のプログラムにおいても、各ステップが対応する実施の形態（但し一例）は、請求項５に記載の情報管理方法と同様である。
【００２５】
以下、本発明の実施の形態について図を参照して説明する。
【００２６】
図１は、本発明を適用したコンテンツ管理システムの構成例を示す図である。
【００２７】
このコンテンツ管理システムは、例えば、家庭などに据え置きされる１つのステイショナリ機１と、外出先などにもユーザにより携帯される複数のモバイル機から構成される。図１においては、３つのモバイル機であるモバイル機２−１乃至２−３が示されている。
【００２８】
ステイショナリ機１は、放送されている番組を録画したり、装着されたオーディオCD(Compact Disk)からオーディオデータを取り込んだり、あるいは、インターネットに接続されているサーバから各種のコンテンツをダウンロードしたりする機能を有する。ステイショナリ機１により録画等されることによって取得されたコンテンツ（ビデオコンテンツ、オーディオコンテンツなど）は、例えば、内蔵のHDDに保存され、ユーザによる指示などに応じて、そのときステイショナリ機１に接続されているモバイル機に転送される。
【００２９】
従って、ユーザは、１つの機器であるステイショナリ機１に様々なコンテンツを集中して管理させておき、管理させているコンテンツのうちの所定のものをモバイル機に転送させることによって、そのモバイル機を利用して外出先でもコンテンツを利用（視聴）することができる。
【００３０】
ステイショナリ機１による転送対象のコンテンツの選択は、例えば、複数のモバイル機のうち、いま接続され、転送先とされているモバイル機から取得された情報に基づいて行われる。
【００３１】
例えば、転送先の機器としてモバイル機２−１が接続されている場合、ステイショナリ機１は、モバイル機２−１により管理されているコンテンツの再生履歴を取得し、モバイル機２−１上で過去に再生された回数の多いコンテンツの特徴と同じ、または似ている特徴を有するコンテンツを、転送対象のコンテンツ（または転送候補のコンテンツ）として選択する。選択されたコンテンツは、例えば、ユーザによる選択操作によらずに、自動的に、モバイル機２−１に転送される。
【００３２】
同様に、転送先の機器としてモバイル機２−２が接続されている場合、ステイショナリ機１は、モバイル機２−２により管理されているコンテンツの再生履歴を取得し、モバイル機２−２上で過去に再生された回数の多いコンテンツの特徴と同じ、または似ている特徴を有するコンテンツを、転送対象のコンテンツとして選択する。モバイル機２−３が転送先の機器とされている場合も同様にしてステイショナリ機１によりコンテンツが選択される。
【００３３】
すなわち、ステイショナリ機１においては、転送対象のコンテンツは、転送先のモバイル機に応じて選択される。
【００３４】
これにより、ステイショナリ機１により表示されるコンテンツのリストから選択するといったような手間を省くことができ、ユーザは、ニュース番組をよく視聴するモバイル機にはニュース番組をステイショナリ機１から転送させたり、映画をよく視聴するモバイル機には映画をステイショナリ機１から転送させたりすることができる。
【００３５】
例えば、出社時に携帯するモバイル機と、車でのドライブ時に携帯するモバイル機とが異なる場合、出社時に携帯するモバイル機にはニュース番組がステイショナリ機１から転送され、ドライブ時に携帯するモバイル機には映画がステイショナリ機１から転送されることになり、ユーザは、モバイル機に応じて、そのモバイル機で利用する可能性が高いコンテンツを容易にステイショナリ機１から転送させることができる。
【００３６】
図１のモバイル機２−１乃至２−３は、それぞれ、HDDやフラッシュメモリなどの記憶媒体を内蔵しており、その記憶媒体に記憶されているオーディオコンテンツやビデオコンテンツなどの各種のコンテンツを再生し、出力する。図１の例においては、モバイル機２−１は携帯電話機であり、モバイル機２−２はオーディオプレーヤである。また、モバイル機２−３はPDA(Personal Digital Assistants)である。
【００３７】
図１のステイショナリ機１とモバイル機２−１乃至２−３の処理の詳細についてはフローチャートを参照して後述する。
【００３８】
図２は、図１のステイショナリ機１のハードウエア構成例を示すブロック図である。
【００３９】
CPU(Central Processing Unit)１１は、ROM(Read Only Memory)１２に記憶されているプログラム、または、HDD２０からRAM(Random Access Memory)１３にロードされたプログラムに従って各種の処理を実行する。RAM１３にはまた、CPU１１が各種の処理を実行する上において必要なデータなどが適宜記憶される。
【００４０】
CPU１１、ROM１２、およびRAM１３は、バス１４を介して相互に接続されている。このバス１４にはまた、入出力インタフェース１５も接続されている。
【００４１】
入出力インタフェース１５には、放送波受信部１７、入力部１８、出力部１９、HDD２０、通信部２１、メモリカードI/F２２、およびドライブ２４が接続されている。
【００４２】
放送波受信部１７は、アンテナ１６から供給されてきた信号を受信する。放送波受信部１７により受信された信号から得られた番組データは、例えば、CPU１１によりMPEG(Moving Picture Experts Group)2方式で圧縮され、HDD２０に記憶される。
【００４３】
入力部１８は、例えば、赤外線の受光部よりなる。入力部１８は、図示せぬリモートコントローラからの信号を受信し、ユーザの操作内容を表す情報をCPU１１に出力する。
【００４４】
出力部１９は、HDD２０に記憶されている番組の伸張、D/A変換等を行い、番組の画像を、ステイショナリ機１に接続されたテレビジョン受像機（TV）などに表示させる。また、出力部１９は、転送候補として選択されたコンテンツを提示し、その中から転送するコンテンツをユーザに選択させる場合、転送候補のコンテンツのタイトルなどもTVに表示させる。
【００４５】
HDD２０は、番組のデータ、CPU１１により生成されたユーザの嗜好情報、モバイル機２−１乃至２−３から取得された履歴情報などの各種の情報を記憶する。
【００４６】
通信部２１は、ネットワークを介しての通信処理を行い、例えば、所定のサーバからダウンロードすることによってEPG(Electronic Program Guide)を取得する。
【００４７】
メモリカードI/F２２は、メモリカードスロットに装着されたメモリカード２３に記憶されているデータを読み出し、読み出したデータをHDD２０などに記憶させる。
【００４８】
ドライブ２４は、装着された光ディスク２５を駆動させ、光ディスク２５に記憶されているデータの読み出し、光ディスク２５に対するデータの書き込みを行う。光ディスク２５は、例えば、CDやDVD(Digital Versatile Disc)などである。
【００４９】
なお、図１のモバイル機２−１乃至２−３も、放送波受信部１７、ドライブ２４は設けられていないものの、それぞれ、基本的には図２に示す構成と同様の構成を有する。以下、適宜、図２の構成を、モバイル機２−１乃至２−３の構成として引用して説明する。
【００５０】
図３は、ステイショナリ機１とモバイル機２−１の機能構成例を示すブロック図である。図３に示す機能部のうちの少なくとも一部は、図２のCPU１１（ステイショナリ機１とモバイル機２−１のCPU）により所定のプログラムが実行されることによって実現される。図２と同じ構成には同じ符号を付してある。
【００５１】
なお、図３にはモバイル機２−１乃至２−３のうち、モバイル機２−１の機能構成例しか示していないが、モバイル機２−２および２−３においても、モバイル機２−１において実現されるものと同様の機能部が実現される。
【００５２】
ステイショナリ機１の放送波受信部１７は、アンテナ１６から供給されてきた信号を受信し、受信した信号を録画処理部３１とEPG抽出部３２に出力する。
【００５３】
録画処理部３１は、コンテンツ管理部３３による制御に従って、放送波受信部１７から供給されてきた信号から録画する番組のデータを取得し、圧縮などを行った後、番組のデータをコンテンツ管理部３３に出力する。録画処理部３１からコンテンツ管理部３３に出力された番組のデータは蓄積コンテンツデータベース３４に供給され、記憶される。
【００５４】
EPG抽出部３２は、放送波受信部１７から供給されてきた信号からEPGを抽出し、抽出したEPGをコンテンツ管理部３３に出力する。EPG抽出部３２からコンテンツ管理部３３に出力されたEPGは、例えば、ステイショナリ機１がユーザによる操作によらずに自動的に番組を録画する機能を有している場合、録画対象とする番組を選択するときにコンテンツ管理部３３により用いられたり、ユーザが視聴した番組からユーザの嗜好を判断するときにユーザ嗜好処理部３６により用いられる。ユーザの嗜好の判断は、例えば、EPGに含まれる番組のジャンルや出演者などの属性情報を用いて行われる。なお、図２の通信部２１によりダウンロードされたEPGもユーザ嗜好処理部３６などにより用いられる。
【００５５】
コンテンツ管理部３３は、コンテンツ選択部５１、再生機器管理部５２、他機器再生履歴管理部５３、および他機器転送履歴管理部５４よりなり、ステイショナリ機１の各部を制御する。
【００５６】
コンテンツ選択部５１は、他機器再生履歴管理部５３によりモバイル機２−１から取得されたコンテンツの再生履歴がコンテンツ状態データベース３５に記憶されたとき、その再生履歴を参照し、例えば、モバイル機２−１上で再生された回数の多いコンテンツの特徴と同じ、または似ている特徴を有するコンテンツを、蓄積コンテンツデータベース３４に記憶されているコンテンツの中から選択する。コンテンツ選択部５１により選択されたコンテンツは、転送候補のコンテンツとしてコンテンツ提示／選択部４１に出力され、ユーザに提示されたり、転送対象のコンテンツとして、ユーザの選択操作によらずに転送処理部４２によりモバイル機２−１に転送される。コンテンツを選択するとき、コンテンツ選択部５１は、ユーザ嗜好処理部３６によりあらかじめ取得されているユーザの嗜好情報を適宜参照する。
【００５７】
再生機器管理部５２は、モバイル機２−１乃至２−３に関する情報を管理する。例えば、モバイル機２−１乃至２−３の機器の種別、識別情報、機器の認証に用いる情報などの各種の情報が再生機器管理部５２により管理される。
【００５８】
他機器再生履歴管理部５３は、コンテンツの転送先の機器であるモバイル機２−１から、モバイル機２−１におけるコンテンツの再生履歴を取得し、取得した再生履歴をモバイル機２−１の識別情報と対応付けてコンテンツ状態データベース３５に記憶させて管理する。
【００５９】
他機器転送履歴管理部５４は、モバイル機に転送したコンテンツの識別情報、転送回数、転送先のモバイル機の識別情報などよりなる転送履歴をコンテンツ状態データベース３５に記憶させて管理する。後述するように、他機器転送履歴管理部５４により管理される転送履歴も、転送対象のコンテンツを選択する際に参照される。
【００６０】
蓄積コンテンツデータベース３４は、録画処理部３１により取得され、コンテンツ管理部３３を介して供給されてきたビデオコンテンツ（番組データ）の他、図示せぬドライブによりオーディオCDなどから取り込まれたオーディオデータや、サーバからダウンロードされた各種のコンテンツを記憶する。
【００６１】
コンテンツ状態データベース３５は、蓄積コンテンツデータベース３４に記憶されているコンテンツの状態を表す状態情報を記憶する。状態情報には、例えば、それぞれのコンテンツについて、転送済みである／転送済みでない、取得されてからの時間などを表す情報が含まれる。また、コンテンツ状態データベース３５は、他機器再生履歴管理部５３により取得された再生履歴や、他機器転送履歴管理部５４から供給されてきた転送履歴を記憶する。
【００６２】
ユーザ嗜好処理部３６は、例えば、再生処理部３８により再生されたコンテンツが番組のコンテンツである場合、そのコンテンツのジャンル、タイトル、出演者などの属性情報をEPG抽出部３２により抽出されたEPGから取得し、取得した属性情報や、それまでのユーザの操作履歴などに基づいてユーザの嗜好を表す嗜好情報を生成する。ユーザ嗜好処理部３６により得られた嗜好情報はユーザ嗜好データベース３７に記憶され、録画する番組を選択する際の基準として適宜参照される。
【００６３】
ユーザ嗜好データベース３７は、ユーザ嗜好処理部３６により得られた嗜好情報を記憶する。
【００６４】
再生処理部３８は、コンテンツ管理部３３による制御に従って、蓄積コンテンツデータベース３４から読み出され、供給されてきたコンテンツを再生し、その出力をユーザインタフェース制御部３９に指示する。
【００６５】
ユーザインタフェース制御部３９は、再生処理部３８により再生されたコンテンツが番組である場合、ステイショナリ機１に接続されたTVに番組の画面を表示させ、また、再生処理部３８により再生されたコンテンツがオーディオコンテンツである場合、ステイショナリ機１に接続されたスピーカなどから再生音を出力させる。
【００６６】
また、ユーザインタフェース制御部３９は、コンテンツ提示／選択部４１による制御に従って転送候補のコンテンツのタイトルなどを一覧表示させたり、その表示に対してユーザにより選択操作が行われた場合、その選択を受け付け、受け付けたコンテンツの情報をコンテンツ提示／選択部４１に出力する。ユーザインタフェース制御部３９は、さらに、コンテンツの転送開始の指示などのユーザによる操作を受け付け、操作内容を表す情報をユーザ操作処理部４０に出力する。
【００６７】
ユーザ操作処理部４０は、ユーザインタフェース制御部３９から供給されてきた情報をコンテンツ管理部３３に出力し、ユーザの操作に従った処理を行わせる。
【００６８】
コンテンツ提示／選択部４１は、転送候補の中からユーザにコンテンツを選択させる場合、コンテンツ選択部５１により選択された転送候補のコンテンツのタイトルなどをユーザインタフェース制御部３９からユーザに提示させる。コンテンツ提示／選択部４１は、転送候補の中から所定のコンテンツが選択されたとき、コンテンツ管理部３３を介して転送処理部４２に指示することによって、ユーザにより選択されたコンテンツをモバイル機２−１に転送させる。これにより、ユーザは、TVなどに表示された転送候補のコンテンツの一覧の中から、モバイル機２−１に転送するコンテンツを選択することができる。
【００６９】
転送処理部４２は、コンテンツ管理部３３のコンテンツ選択部５１により選択されたコンテンツ、または、コンテンツ提示／選択部４１による提示に応じてユーザにより選択されたコンテンツをコンテンツ管理部３３を介して蓄積コンテンツデータベース３４から読み出し、読み出したコンテンツを転送インタフェース４３に出力する。また、転送処理部４２は、モバイル機２−１から送信されてきた再生履歴などの情報が転送インタフェース４３により受信され、供給されてきたとき、それをコンテンツ管理部３３（他機器再生履歴管理部５３）に出力する。
【００７０】
転送インタフェース４３は、モバイル機２−１（転送インタフェース６１）との間で通信を行い、転送処理部４２から供給されてきたコンテンツをモバイル機２−１に転送する。ステイショナリ機１とモバイル機２−１の間の通信は、USB(Universal Serial Bus)、IEEE(Institute of Electrical and Electronics Engineers)1394、Ethernet（登録商標）、WiFi（商標）（IEEE802.11a,b,g等）などを介して行われる。
【００７１】
また、転送インタフェース４３は、モバイル機２−１から送信されてきた再生履歴などの情報を受信し、それを転送処理部４２に出力する。
【００７２】
モバイル機２−１の転送インタフェース６１は、ステイショナリ機１（転送インタフェース４３）から転送されてきたコンテンツを受信し、受信したコンテンツを転送処理部６２に出力する。また、転送インタフェース６１は、転送処理部６２から再生履歴が供給されてきたとき、それをステイショナリ機１に送信する。
【００７３】
転送処理部６２は、転送インタフェース６１から供給されてきたコンテンツをコンテンツ管理部６３に出力する。コンテンツ管理部６３に出力されたコンテンツは蓄積コンテンツデータベース６４に供給され、保存される。また、転送処理部６２は、コンテンツ管理部６３から再生履歴が供給されてきたとき、それを転送インタフェース６１に出力し、ステイショナリ機１に送信させる。
【００７４】
コンテンツ管理部６３は、モバイル機２−１の全体の動作を制御する。例えば、コンテンツ管理部６３は、転送処理部６２から供給されてきたコンテンツを蓄積コンテンツデータベース６４に記憶させたり、蓄積コンテンツデータベース６４に記憶されているコンテンツの中からユーザにより選択されたコンテンツを再生処理部６６に出力し、再生させる。ユーザによるコンテンツの再生指示などはユーザ操作処理部６８から供給されてくる。
【００７５】
コンテンツ管理部６３は再生履歴管理部８１を有しており、この再生履歴管理部８１は、モバイル機２−１におけるコンテンツの再生履歴を例えばコンテンツ状態データベース６５に記憶させておくことによって管理する。また、再生履歴管理部８１は、モバイル機２−１がステイショナリ機１に接続されたとき、管理している再生履歴をコンテンツ状態データベース６５から読み出し、それを転送処理部６２に出力する。
【００７６】
蓄積コンテンツデータベース６４は、ステイショナリ機１から転送され、コンテンツ管理部６３等を介して供給されてきたコンテンツを記憶する。蓄積コンテンツデータベース６４に記憶されたコンテンツは、適宜、コンテンツ管理部６３により読み出され、その再生が行われる。
【００７７】
コンテンツ状態データベース６５は、蓄積コンテンツデータベース６４に記憶されているコンテンツの状態を表す状態情報を記憶する。状態情報には、例えば、それぞれのコンテンツについて、再生済みである／再生済みでない、再生回数、取得されてからの時間などを表す情報が含まれており、これにより、モバイル機２−１上での再生履歴が表される。
【００７８】
再生処理部６６は、コンテンツ管理部６３による制御に従って、蓄積コンテンツデータベース６４から読み出され、供給されてきたコンテンツを再生し、その出力をユーザインタフェース制御部６７に指示する。
【００７９】
ユーザインタフェース制御部６７は、再生処理部６６により再生されたコンテンツが番組である場合、モバイル機２−１に設けられているディスプレイに番組の画像を表示させ、また、再生処理部６６により再生されたコンテンツがオーディオコンテンツである場合、モバイル機２−１に設けられたスピーカや、モバイル機２−１に接続されたイヤホンなどから再生音を出力させる。また、ユーザインタフェース制御部６７は、モバイル機２−１の筐体表面に設けられている各種のボタンに対するユーザの入力を受け付け、ユーザの操作内容を表す情報をユーザ操作処理部６８に出力する。
【００８０】
ユーザ操作処理部６８は、ユーザインタフェース制御部６７から供給されてきた情報をコンテンツ管理部６３に出力し、ユーザの操作に従った処理を行わせる。
【００８１】
次に、以上のような構成を有するステイショナリ機１とモバイル機２−１の動作について説明する。なお、ここでも、モバイル機２−１の動作について説明するが、モバイル機２−２，２−３においても同様の動作が行われる。以下、転送対象のコンテンツが番組（ビデオコンテンツ）である場合について説明する。
【００８２】
はじめに、図４のフローチャートを参照して、ステイショナリ機１の転送処理について説明する。この処理は、ステイショナリ機１にモバイル機２−１が接続されたときに開始される。
【００８３】
ステップＳ１において、コンテンツ管理部３３の他機器再生履歴管理部５３は、モバイル機２−１から、モバイル機２−１において管理されている再生履歴を取得する。モバイル機２−１から提供されてきた再生履歴は、転送インタフェース４３により受信され、転送処理部４２を介して他機器再生履歴管理部５３により取得される。他機器再生履歴管理部５３により取得された再生履歴はコンテンツ状態データベース３５に記憶される。
【００８４】
ステップＳ２において、コンテンツ選択部５１は、コンテンツ状態データベース３５に記憶された再生履歴（ステップＳ１で取得された再生履歴）を参照し、モバイル機２−１において再生されたコンテンツとして挙がっているものの中から、再生された頻度の高いコンテンツを探す。ここでは、例えば、所定の回数以上再生されたコンテンツがコンテンツ選択部５１により取得される。
【００８５】
ステップＳ３において、コンテンツ選択部５１は、再生頻度の高いコンテンツ、すなわち、所定の回数以上モバイル機２−１において再生されたコンテンツがあるか否かを判定する。
【００８６】
コンテンツ選択部５１は、ステップＳ３において、そのような再生頻度の高いコンテンツがないと判定した場合、ステップＳ４に進み、転送候補はないとして処理を終了させる。この場合、例えば、蓄積コンテンツデータベース３４に記憶されているコンテンツのタイトルなどが一覧表示され、ユーザは、その中から、転送対象のコンテンツを自ら選択することになる。
【００８７】
一方、ステップＳ３において、コンテンツ選択部５１は、再生頻度の高いコンテンツがあると判定した場合、ステップＳ５に進み、再生頻度の高いコンテンツのジャンル、出演者等の特徴を、コンテンツ状態データベース３５に記憶されているEPGから抽出する。モバイル機２−１において再生されたコンテンツはステイショナリ機１から転送されたものであるから、コンテンツの転送元の機器であるステイショナリ機１には、モバイル機２−１において高い頻度で再生されたコンテンツのジャンル、出演者等の属性情報を含むEPGがコンテンツ状態データベース３５に記憶されており、そのEPGから特徴が抽出される。
【００８８】
ステップＳ６において、コンテンツ選択部５１は、蓄積コンテンツデータベース３４に記憶されているコンテンツの中から、ステップＳ５で抽出した特徴と同じ、または類似する特徴を有するコンテンツを探し、ステップＳ７に進み、そのようなコンテンツがあるか否かを判定する。例えば、モバイル機２−１において高い頻度で再生されたコンテンツと同じ出演者が出演している番組、同じジャンルの番組などを対象としてコンテンツの検索が行われる。
【００８９】
ステップＳ７において、コンテンツ選択部５１は、蓄積コンテンツデータベース３４に記憶されているコンテンツの中に、モバイル機２−１において高い頻度で再生されたコンテンツの特徴と同じ、または類似する特徴を有するコンテンツがあると判定した場合、ステップＳ８に進み、そのコンテンツを転送候補のコンテンツとする。コンテンツ選択部５１により選択された転送候補のコンテンツの情報はコンテンツ提示／選択部４１に供給され、コンテンツのタイトルなどがユーザに提示される。
【００９０】
転送候補のコンテンツの中から所定のコンテンツがユーザにより選択されたとき、ステップＳ９において、転送処理部４２は、選択されたコンテンツをモバイル機２−１に転送し、処理を終了させる。転送対象とするコンテンツがユーザにより選択されたとき、転送処理部４２には、そのことがコンテンツ提示／選択部４１からコンテンツ管理部３３を介して通知されてくる。
【００９１】
なお、転送候補の中からユーザが選択するのではなく、モバイル機２−１において高い頻度で再生されたコンテンツの特徴と同じ、または類似する特徴を有する全てのコンテンツがモバイル機２−１に転送される場合、ステップＳ８の処理はスキップされ、ユーザによる選択操作によらずに、ステップＳ９においてコンテンツの転送が行われる。
【００９２】
一方、ステップＳ７において、コンテンツ選択部５１は、蓄積コンテンツデータベース３４に記憶されているコンテンツの中に、モバイル機２−１において高い頻度で再生されたコンテンツの特徴と同じ、または類似する特徴を有するコンテンツがないと判定した場合、ステップＳ１０に進み、転送候補はないと判断して処理を終了させる。この場合も、例えば、蓄積コンテンツデータベース３４に記憶されているコンテンツのタイトルなどが一覧表示され、その中から、ユーザにより選択されたコンテンツが転送される。
【００９３】
次に、図５のフローチャートを参照して、ステイショナリ機１から転送されてきたコンテンツを受信する、モバイル機２−１のダウンロード処理について説明する。この処理は、ステイショナリ機１による図４の処理に対応して行われるものである。
【００９４】
ステップＳ２１において、コンテンツ管理部６３の再生履歴管理部８１は、コンテンツ状態データベース６５に記憶されている再生履歴を読み出し、ステイショナリ機１に提供する。すなわち、再生履歴管理部８１は、コンテンツ状態データベース６５から読み出した再生履歴を転送処理部６２に出力し、転送インタフェース６１からステイショナリ機１に送信させる。
【００９５】
再生履歴が送信されてくることに応じて、ステイショナリ機１においては、モバイル機２−１において高い頻度で再生されたコンテンツの特徴と同じ、または類似する特徴を有するコンテンツが選択され、例えば、その中から選択された所定の数のコンテンツがモバイル機２−１に対して転送される（図４のステップＳ９）。
【００９６】
ステイショナリ機１から転送されたコンテンツが転送インタフェース６１、転送処理部６２を介して供給されてきたとき、ステップＳ２２において、コンテンツ管理部６３は、コンテンツを受信し、受信したコンテンツを蓄積コンテンツデータベース６４に保存する。その後、処理は終了される。
【００９７】
以上の処理により、ユーザは、モバイル機２−１を用いてよく視聴するコンテンツと何かしらの共通点があるコンテンツをモバイル機２−１に容易に転送させることができ、モバイル機２−１上で視聴することができる。このような処理がモバイル機２−２，２−３がステイショナリ機１に接続されたときにも行われるから、ユーザは、ニュース番組をよく見るモバイル機にはニュース番組を、映画をよく見るモバイル機には映画を、それぞれ、容易に転送させることができる。
【００９８】
以上においては、転送先のモバイル機により管理されている再生履歴に基づいて、転送対象（転送候補）のコンテンツが選択されるものとしたが、転送先のモバイル機に過去に転送したコンテンツの履歴に基づいて、転送対象のコンテンツが選択されるようにしてもよい。
【００９９】
例えば、ユーザが自ら選択することによって、あるコンテンツをモバイル機に転送させたことが転送履歴により表されている場合、ステイショナリ機１は、ユーザが過去に転送させたコンテンツの特徴と同じ、または似ている特徴を有するコンテンツを、ユーザによる選択操作によらずに自動的にそのモバイル機に対して転送させたり、転送候補のコンテンツとしてユーザに提示させたりする。
【０１００】
これにより、例えば、ニュース番組を過去に転送させたことがあるモバイル機が転送先とされているときにはニュース番組がステイショナリ機１により選択されるから、ユーザは、転送先のモバイル機に過去に転送させたことがあるコンテンツに似ているコンテンツなどを容易に転送させることができる。
【０１０１】
なお、コンテンツを選択する基準となる転送履歴は、ステイショナリ機１の他機器転送履歴管理部５４により管理されているものが用いられるようにしてもよいし、上述した再生履歴と同様に、転送先のモバイル機により管理されているものがステイショナリ機１に提供され、それが用いられるようにしてもよい。
【０１０２】
ここで、図６のフローチャートを参照して、転送履歴に基づいてコンテンツを選択するステイショナリ機１の転送処理について説明する。この処理も、ステイショナリ機１にモバイル機（モバイル機２−１）が接続されたときに開始される。
【０１０３】
ステップＳ３１において、コンテンツ管理部３３のコンテンツ選択部５１は、コンテンツ状態データベース３５に記憶されている、コンテンツの転送先として接続されているモバイル機２−１に過去に転送したコンテンツの履歴（転送履歴）を参照し、モバイル機２−１に高い頻度で過去に転送したコンテンツを探す。上述したように、コンテンツ状態データベース３５には、コンテンツの識別情報、転送回数、転送先のモバイル機の識別情報などよりなる転送履歴が記憶されている。
【０１０４】
ここでは、例えば、所定の回数以上転送されたコンテンツがコンテンツ選択部５１により取得される。
【０１０５】
ステップＳ３２において、コンテンツ選択部５１は、転送頻度の高いコンテンツがあるか否かを判定し、転送頻度の高いコンテンツがないと判定した場合、ステップＳ３３に進み、転送候補はないとして処理を終了させる。この場合、例えば、蓄積コンテンツデータベース３４に記憶されているコンテンツのタイトルなどが一覧表示され、その中から、ユーザは、転送対象とするコンテンツを自ら選択することになる。
【０１０６】
一方、ステップＳ３２において、コンテンツ選択部５１は、転送頻度の高いコンテンツがあると判定した場合、ステップＳ３４に進み、転送頻度の高いコンテンツのジャンル、出演者等の特徴を、コンテンツ状態データベース３５に記憶されているEPGから抽出する。
【０１０７】
ステップＳ３５において、コンテンツ選択部５１は、蓄積コンテンツデータベース３４に記憶されているコンテンツの中から、ステップＳ３４で抽出した特徴と同じ、または類似する特徴を有するコンテンツを探し、ステップＳ３６に進み、そのようなコンテンツがあるか否かを判定する。例えば、モバイル機２−１に高い頻度で転送されたコンテンツと同じ出演者が出演している番組、同じジャンルの番組などを対象としてコンテンツの検索が行われる。
【０１０８】
ステップＳ３６において、コンテンツ選択部５１は、蓄積コンテンツデータベース３４に記憶されているコンテンツの中に、モバイル機２−１に高い頻度で転送されたコンテンツの特徴と同じ、または類似する特徴を有するコンテンツがあると判定した場合、ステップＳ３７に進み、そのコンテンツを転送候補のコンテンツとする。コンテンツ選択部５１により選択されたコンテンツの情報はコンテンツ提示／選択部４１に供給され、コンテンツのタイトルなどがユーザに提示される。
【０１０９】
転送候補のコンテンツの中から所定のコンテンツがユーザにより選択されたとき、ステップＳ３８において、転送処理部４２は、選択されたコンテンツをモバイル機２−１に転送し、処理を終了させる。
【０１１０】
なお、転送候補の中からユーザが選択するのではなく、モバイル機２−１に高い頻度で転送されたコンテンツの特徴と同じ、または類似する特徴を有する全てのコンテンツがモバイル機２−１に転送される場合、ステップＳ３７の処理はスキップされ、ユーザによる選択操作によらずに、ステップＳ３８においてコンテンツの転送が行われる。
【０１１１】
一方、ステップＳ３６において、コンテンツ選択部５１は、蓄積コンテンツデータベース３４に記憶されているコンテンツの中に、モバイル機２−１に高い頻度で転送されたコンテンツの特徴と同じ、または類似する特徴を有するコンテンツがないと判定した場合、ステップＳ３９に進み、転送候補はないと判断し、処理を終了させる。この場合も、例えば、蓄積コンテンツデータベース３４に記憶されているコンテンツのタイトルなどが一覧表示され、その中から、ユーザにより選択されたコンテンツが転送される。
【０１１２】
次に、図７のフローチャートを参照して、モバイル機２−１のダウンロード処理について説明する。この処理は、ステイショナリ機１による図６の処理に対応して行われるものである。
【０１１３】
ステイショナリ機１から転送されたコンテンツが転送インタフェース６１、転送処理部６２を介して供給されてきたとき、ステップＳ５１において、コンテンツ管理部６３は、コンテンツを受信し、受信したコンテンツを蓄積コンテンツデータベース６４に保存する。その後、処理は終了される。
【０１１４】
以上の処理により、ユーザは、モバイル機２−１によく転送させていたコンテンツと何かしらの共通点があるコンテンツをモバイル機２−１に容易に転送させることができ、モバイル機２−１上で視聴することができる。以上の処理がモバイル機２−２，２−３がステイショナリ機１に接続されたときにも行われるから、ニュース番組をよく転送させて見ているモバイル機にはニュース番組を、映画をよく転送させて見ているモバイル機には映画を、それぞれ、容易に転送させることができる。
【０１１５】
なお、以上のように、再生履歴や転送履歴に基づいて転送対象のコンテンツが選択されるのではなく、単に、転送先とされているモバイル機毎に、それに適したコンテンツが選択されるようにしてもよい。
【０１１６】
例えば、オーディオプレーヤであるモバイル機に対してはオーディオコンテンツ、ビデオプレーヤであるモバイル機に対してはビデオコンテンツが転送先のモバイル機に適したコンテンツとして選択されるようにしてもよいし、CIF(Common Intermediate Format)サイズの画像を表示可能なディスプレイを有するモバイル機に対してはCIFサイズの画像からなるビデオコンテンツが、QVGA(Quarter Video Graphics Array)サイズの画像を表示可能なディスプレイを有するモバイル機に対してはQVGAサイズの画像からなるビデオコンテンツが選択されるように、コンテンツの再生能力に応じたコンテンツが、転送先のモバイル機に適したコンテンツとして選択されるようにしてもよい。
【０１１７】
この場合、ステイショナリ機１においては、コンテンツの転送先となるモバイル機２−１が接続されたとき、再生機器管理部５２により、機器の識別情報、種別（オーディオプレーヤであるのか、ビデオプレーヤであるのか等）、表示能力などの情報がモバイル機２−１から取得され、取得された情報に基づいて、転送候補のコンテンツがコンテンツ選択部５１により選択される。すなわち、転送先となっているモバイル機２−１での再生に適さないコンテンツは転送候補から外されることになる。
【０１１８】
選択されたコンテンツはユーザに提示され、ユーザにより転送することが指示されたコンテンツの転送が行われる。
【０１１９】
これにより、ユーザは、モバイル機をステイショナリ機１に接続するだけで、そのモバイル機に適したコンテンツを容易に転送させることができる。
【０１２０】
また、以上においては、再生履歴、転送履歴、モバイル機の種別などの情報がそれぞれ個別にステイショナリ機１により参照されてコンテンツの選択が行われるとしたが、それらのうちの２以上の情報が組み合わされたものが参照されて、コンテンツの選択が行われるようにしてもよい。
【０１２１】
上述した一連の処理は、ハードウェアにより実行させることもできるが、ソフトウェアにより実行させることもできる。
【０１２２】
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
【０１２３】
この記録媒体は、図２に示されるように、装置本体とは別に、ユーザにプログラムを提供するために配布される光ディスク２５により構成されるだけでなく、装置本体に予め組み込まれた状態でユーザに提供される、プログラムが記録されているROM１２やHDD２０などで構成される。
【０１２４】
なお、本明細書において、各ステップは、記載された順序に従って時系列的に行われる処理はもちろん、必ずしも時系列的に処理されなくとも、並列的あるいは個別に実行される処理をも含むものである。
【０１２５】
また、本明細書において、システムとは、複数の装置により構成される装置全体を表わすものである。
【図面の簡単な説明】
【０１２６】
【図１】本発明を適用したコンテンツ管理システムの構成例を示す図である。
【図２】図１のステイショナリ機のハードウエア構成例を示すブロック図である。
【図３】図１のステイショナリ機とモバイル機の機能構成例を示すブロック図である。
【図４】ステイショナリ機の転送処理について説明するフローチャートである。
【図５】モバイル機のダウンロード処理について説明するフローチャートである。
【図６】ステイショナリ機の他の転送処理について説明するフローチャートである。
【図７】モバイル機の他のダウンロード処理について説明するフローチャートである。
【符号の説明】
【０１２７】
１  ステイショナリ機，  ２−１乃至２−３  モバイル機，  ３３  コンテンツ管理部，  ３４  蓄積コンテンツデータベース，  ３５  コンテンツ状態データベース，  ５１  コンテンツ選択部，  ５２  再生機器管理部，  ５３  他機器再生履歴管理部，  ５４  他機器転送履歴管理部，  ６３  コンテンツ管理部，  ６４  蓄積コンテンツデータベース，  ６５  コンテンツ状態データベース，  ８１  再生履歴管理部
【図１】
2006235742.tif 000003
【図２】
2006235742.tif 000004
【図３】
2006235742.tif 000005
【図４】
2006235742.tif 000006
【図５】
2006235742.tif 000007
【図６】
2006235742.tif 000008
【図７】
2006235742.tif 000009